【手続補正書】
【提出日】平成25年1月18日(2013.1.18)
【手続補正１】
【補正対象書類名】明細書
【補正対象項目名】全文
【補正方法】変更
【補正の内容】
【発明の詳細な説明】
【発明の名称】可撓性を有する磁石の封止用装置
【技術分野】
【０００１】
本発明は一般に封止用閉止に関するものであり、特に、可撓性を有し機械的な変形に対して堅固である封止用閉止に関するものである。
【背景技術】
【０００２】
本発明は、様々な用途（例えば織物）で使われ得る封止用閉止を開示する。磁石ストリップは公知技術であるが、これらのストリップは、磁気の強度が極めて低いので、封止に使用することはできない。それゆえに、可撓性ストリップに埋め込まれている強磁性要素（例えばネオジム）を使用する必要がある。
【０００３】
米国特許第７，１８７，２６１号（以下に’２６１と呼ぶ）は、一連の磁石と、それ自体に磁化可能な材料に又は他の磁石に連結可能な長手方向の可撓性配置を定めるために各々の磁石の各々の表面に位置し、少なくとも部分的にそれを囲む可撓性材料ストリップとを含む磁石ストリップを開示する。
【０００４】
特許’２６１の可撓性磁石ストリップにおいては異なる問題が存在する。例えばこのストリップは、様々な機械的な変形（例えば屈曲、ねじり）に対して堅固である封止を提供するのに用いることはできない。この一つの理由は、磁気的に互いに引き付ける二つのストリップの磁石要素の間の距離が遠いことである。もう一つの理由は、ストリップが作成される材料の機械的な特徴である。
【０００５】
それゆえに、ストリップ内の磁石の磁力が減少しないように他の磁石又は強磁性材料を引き付けることができる少なくとも一つの磁石ストリップでできている可撓性封止用閉止及び／又は封止可能な装置を提供する必要性が長年にわたり存在してきた。
【先行技術文献】
【特許文献】
【０００６】
【特許文献１】米国特許第７，１８７，２６１号公報
【発明の概要】
【課題を解決するための手段】
【０００７】
したがって（ａ）複数の磁石要素を組み込むように適合する複数の空洞を持ち、主軸、第１側部及び第２側部を有する第１の可撓性ストリップと；（ｂ）複数の磁石要素を組み込むように適合する複数の空洞を持ち、主軸、第１側部及び第２側部を有する第２の可撓性ストリップとを含む封止用閉止を開示することは、本発明の目的の一つである。
【０００８】
第１のストリップの複数の磁石要素が第１のストリップと第１の膜との間の複数の空洞内に埋め込まれるように第１のストリップの第１側部に接続可能な第１の膜をさらに含む封止用閉止を提供することは、本発明の中心的な目的であり、封止用閉止は、第２のストリップの複数の磁石要素が第２のストリップと第２の膜との間の複数の空洞内に埋め込まれるように第２のストリップの第１側部に接続可能な第２の膜をさらに含み、第１及び第２のストリップが第１及び第２の膜の側部から共に導かれる時、第１及び第２のストリップの磁石要素が封止を提供するように磁気的に互いを引き付ける。
【０００９】
第１及び第２の膜の各々が（ｉ）第１及び第２のストリップの複数の磁石要素の磁力能力を本質的に保つ所定の厚さ、及び、（ｉｉ）第２の膜に関する第１の膜の動きを本質的に防ぐ所定の静止摩擦係数によって特徴付けられ、提供される時、封止は、第１及び第２の膜の所定の厚さ及び所定の静止摩擦係数により第１及び第２のストリップの主軸と関連した封止用閉止の機械的な変形に対して堅固であることを開示することは本発明の他の目的である。
【００１０】
密封可能装置の第１の壁及び第２の壁である第１の膜及び第２の膜を開示することは本発明のさらなる目的である。
【００１１】
第１及び第２の膜、及び、第１及び第２のストリップが、エラストマ、ゴム、ＴＰＲ、ＴＰＥ、ＴＰＵ、ＨＰＵ、ネオプレン、ポリアクリレート、ポリアミド、ポリエステル、ポリカーボネート、ポリイミド、ポリスチレン、アクリロニトリルブタジエンスチレン（ＡＢＳ）、ポリアクリロニトリル（ＰＡＮ）又はアクリル樹脂、ポリブタジエン、ポリ（ブチレンテレフタル酸塩）（ＰＢＴ）、ポリ（エーテルスルホン）（ＰＥＳ、ＰＥＳ／ＰＥＥＳ）、ポリ（エーテルエーテルケトン）（ＰＥＥＫ、ＰＥＳ／ＰＥＥＫ）、ポリエチレン（ＰＥ）、ポリ（エチレングリコール）（ＰＥＧ）、ポリ（エチレンテレフタル酸塩）（ＰＥＴ）、ポリプロピレン（ＰＰ）、ポリテトラフルオロエチレン（ＰＴＦＥ）、アクリロニトリル−スチレン樹脂（ＳＡＮ）、ポリ（トリメチレンテレフタル酸塩）（ＰＴＴ）、ポリウレタン（ＰＵ）、ポリビニルブチラール（ＰＶＢ）、ポリ塩化ビニル（ＰＶＣ）、ポリフッ化ビニリデン（ＰＶＤＦ）、ポリ（ビニルピロリドン）（ＰＶＰ）、又は、これらの組合せで構成される群から選択された高分子材料でできていることを開示することは本発明のさらなる目的である。
【００１２】
ネオジム、ネオジム−鉄−ホウ素（ＮｄＦｅＢ）、サマリウム−コバルト、電磁石、他のタイプの希土類磁石、及び、これらの組合せで構成される群から選択された材料でできている磁石要素を開示することは本発明のさらなる目的である。
【００１３】
本発明では、以下の少なくとも一つが当てはまる：（ａ）第１のストリップは第１の接続手段を経て密封可能装置の一部に機械的に接続可能であり、第２のストリップは第２の接続手段を経て密封可能装置の他の部分に機械的に接続可能である；及び（ｂ）ストリップの一部及び他の部分は、密封可能装置の開口に位置する。
【００１４】
本発明のさらなる目的は、一部又は他の部分の一つである第１の膜又は第２の膜の少なくとも一つを開示することである。
【００１５】
本発明のさらなる目的は、一方向弁である封止用閉止を開示することである。
【００１６】
本発明のさらなる目的は、（ｉ）第１及び第２のストリップを連続的に提供する、及び、（ｉｉ）第１及び第２のストリップ内に複数の空洞を形成するように適合する押出成形法を開示することである。
【００１７】
本発明のさらなる目的は、複数の空洞が最大開口である時、第１のストリップ及び第２のストリップの少なくとも一つにその第２側部から機械的に接続されるように適合する被覆をさらに含む封止用閉止を開示することである。
【図面の簡単な説明】
【００１８】
本発明のより良好な理解のため、及び、本発明がどのように実施されるかを示すために、単に一例として添付の図面が参照され、類似した数字は、全体を通して対応する要素又は部分を示す。ここで詳細に図面を特に参照すると、示される事項は一例のもので、本発明の好ましい実施態様の解説用の議論の目的のためだけのものであり、本発明の原理及び概念上の態様の記載に最も役立ちかつ直ちに理解されると考えられるものを提供するために示されることに留意のこと。この点に関して、本発明の基本的な理解のために必要であるよりもさらに詳細に本発明の構造の細部を示すための試みはなされず、明細書は図面と共に、本発明のいくつかの形状が実際にどのように具体化されるかを当業者に明白にするものである。図面の説明は以下の通りである：
【図１ａ】図１ａは、本発明の封止用閉止の特定の実施態様の図である；
【図１ｂ】図１ｂは、本発明の封止用閉止の特定の実施態様の図である；
【図２ａ】図２は、本発明の封止用閉止に適用される機械的な変形の図である；
【図２ｂ】図２ｂは、本発明の封止用閉止に適用される機械的な変形の図である；
【図３】図３は、本発明の密封可能装置の一実施態様の図である；
【図４】図４は、本発明の密封可能装置の他の実施態様の図である；
【図５】図５は、本発明の密封可能装置の他の実施態様の図である；
【図６】図６は、本発明の密封可能装置の他の実施態様の図である；
【図７】図７は、本発明の磁石ストリップの他の実施態様の図である；
【図８】図８は、本発明のストリップの幾何学的構造の異なる実施態様の図である。明細書と共に図面は、本発明が実際にどのように具体化されるかを当業者に明白にするものである。
【発明を実施するための形態】
【００１９】
本発明の少なくとも一つの実施態様を詳細に説明する前に、本発明は、以下の明細書で説明される又は図面において示される構成要素の構造及び配置の詳細において、その用途で制限されないと理解される。本発明は、他の実施態様に適用可能である、又は、様々な方法で実践又は実行される。また、ここで使用される語法及び用語は説明のためであり、制限とみなされるべきでないと理解される。
【００２０】
「封止」という語は以下において、堅い及び／又は気密の閉止を提供する固定手順、及び／又は、封止用閉止を通じて異なる材料（例えば水、ガス、空気等）の通過を防ぐ閉止を提供する手順を指す。
【００２１】
「約」という語は以下において、±２５％の確実性での所定の測定の精度を指す。
【００２２】
「強磁性材料」という語は以下において、磁石材料が磁気的に引き付けられ得る材料を指す。例えば「強磁性材料」という語は、鉄、ニッケル、コバルト、希土類元素の合金、及び、天然磁石のような自然に生じる鉱物を指してもよい。
【００２３】
「密封可能装置」という語は以下において、本発明の封止用閉止によって封止され得る装置を指す。例えば、密封可能装置は、小袋、袋、サック、ポケット、滅菌用装置、防水マネーベルト、防水ポケット、フレーム付きドア、テント、温室、防水ポケット又はこれらの組合せであってもよい。
【００２４】
「ストリップ」という語は以下において、従来技術において周知の幾何学的構造によって特徴付けられる本質的に可撓性の物体を指す。好ましい実施態様によれば、幾何学的構造は細長い矩形の構造である。他の実施態様によれば、幾何学的構造は、四角、楕円形、円形、多角形等であってもよい。
【００２５】
「最大開口」という語は以下において、ストリップの少なくとも二つの異なる側から接近されてもよいストリップ内の開口を指す。
【００２６】
「磁石要素」という語は以下において、例えばネオジム（例えば、（ネオジム−鉄−ホウ素（ＮｄＦｅＢ））、サマリウム−コバルト又は他のタイプの希土類磁石、（又は、材料の組成）のような強磁性材料でできていてもよいタイプの要素を指す。いくつかの実施態様によれば、「磁石要素」は公知技術である電磁要素であってもよい。
【００２７】
「複数」という語は以下において、少なくとも一つの対象を指す。
【００２８】
本発明は、以下に示されるように様々な分野で使用可能である新規な磁石の封止用閉止１００を開示する。
【００２９】
封止用閉止１００の特定の実施態様を略図で例示する図１ａによると、封止用閉止１００は、ａ．複数の磁石要素１８を組み込むように適合する複数の空洞１６を持ち、主軸Ｘ、第１側部１２及び第２側部１４を有する第１の可撓性ストリップ１０と；ｂ．複数の磁石要素２８を組み込むように適合する複数の空洞２６を持ち、主軸Ｘ、第１側部２２及び第２側部２４を有する第２の可撓性ストリップ２０とを含む。
【００３０】
機械的に堅固な封止が封止用閉止１００を経て提供される主な新規な要素は、第１のストリップ１０の第１側部１２に接続可能である第１の膜１９、及び、第２のストリップ２０の第１側部２２に接続可能である第２の膜２９である。
【００３１】
第１の膜１９の主な目的の一つは、第１のストリップ１０と第１の膜１９との間で、複数の空洞１６内に第１のストリップ１０の磁石要素１８を封入して埋め込むことである。第２の膜２９の主な目的の一つは、第２のストリップ２０と第２の膜２９との間で、複数の空洞２６内に第２のストリップ２０の磁石要素２８を封入して埋め込むことである。
【００３２】
本発明の異なる実施態様によれば、本発明の磁石の封止用閉止が、磁気的に引き付けられてもよく、したがって互いに、さらに他の磁石又は強磁性要素に接続可能である二つ以上の磁石ストリップ１０及び２０の組合せとして使われてもよい。
【００３３】
図１ａにて図示したように、第１のストリップ１０及び第２のストリップ２０は、互いに接触して、磁石要素１８及び２８が磁気的に互いに引き付けるように第１の膜１９及び第２の膜２９の側部から共に導かれる。この磁力は、封止を提供するのに適している。
【００３４】
以下で開示されるように、磁石要素及び膜を有するストリップ１０及び２０のそれぞれの特別な構造は、機械的な変形に対して堅固である封止を提供するのに適している。堅固な封止は、封止用閉止１００の機械的な変形が生じる時、ストリップ１０及びストリップ２０が互いに分離されない封止である。
【００３５】
本発明の発明者は、堅固な封止を提供するため、互いに引き付ける時に磁石要素１８及び２８は互いに十分に近いように膜１９及び２９は十分に薄くなければならないことを発見した。
【００３６】
封止の安定性が得られる本発明の主な特徴の一つは、第１の膜１９及び第２の膜２９の厚さが比較的薄いことである。第１の膜１９及び第２の膜２９は、第１及び第２のストリップ１０及び２０の複数の磁石要素１８及び２８の磁力能力を本質的に保つ所定の厚さによって特徴付けられる。
【００３７】
本発明のいくつかの実施態様によれば、第１及び第２の膜１９及び２９各々の所定の厚さは、約０．０５ｍｍから約０．６ｍｍまでの間である。好ましくはこの厚さは、約０．２ｍｍから約０．４ｍｍまでの間である。
【００３８】
本発明の発明者は、堅固な封止を提供するため、膜１９及び２９が所定の静止摩擦係数によって特徴付けられなければならないことをさらに発見した。膜１９及び２９の所定の静止摩擦係数は、封止用閉止１００の機械的な変形が生じる時、互いに関して膜１９及び２９の相対的な動きを防ぐように適合する。
【００３９】
本発明のいくつかの実施態様によれば、所定の静止摩擦係数は約０．０１から約０．９９までの間である。本発明の他の実施態様によれば、所定の静止摩擦係数は、約０．１から約０．６までの間である。好ましくは、所定の静止摩擦係数は、約０．５である。
【００４０】
本発明の封止用閉止１００によって提供される封止は、共に導かれる時、第１及び第２のストリップ１０及び２０の主軸Ｘと関連して様々な機械的な変形に対して堅固であるように適合する。例えば、これらの機械的な変形は、屈曲、回転、ねじれ、傾き又はこれらの組合せであってもよい。屈曲は一回転であってもよく、ねじれは３６０°以上であってもよい。この安定性は、膜１９及び２９の前記所定の厚さ及びそれらの所定の摩擦係数の両方によって提供される。
【００４１】
本発明のいくつかの実施態様により封止の安定性を提供するため、膜の二つの主な特徴（厚さ及び摩擦係数）の一つのみが必要とされることに留意することが重要である。
【００４２】
図１ｂにおいて、本発明の側面図が示される。
【００４３】
ここで、従来技術を超える本発明の利点を略図で例示する図２ａ〜ｂを参照する。特にこの図は、機械的な変形が生じる時の封止の安定性を示す。
【００４４】
この図によれば、主軸Ｘと関連して封止用閉止がユーザ９０によってねじられる。この図で明らかに示されるのは、第１及び第２のストリップ１０及び２０は、ねじれ３０の領域では分離されないことである。
【００４５】
図１ａによれば、複数の空洞１６及び２６は、互いに約３ｍｍ離れて互いの間で等間隔に設置される。他の実施態様によれば、この距離は約２ｍｍから約８ｍｍまでの間である。図１ａの実施態様によれば、磁石要素１８及び２８は、約６ｍｍの直径及び約２ｍｍの厚さにより特徴付けられる。他の実施態様によれば、直径は約４ｍｍから約１０ｍｍの間であり、厚さは約１から３ｍｍまでの間である。
【００４６】
図１ａによれば、第１のストリップ１０及び第２のストリップ２０は、約１０ｍｍから約２０ｍｍの間の幅及び約１から３ｍｍの厚さによって特徴づけられる。
【００４７】
いくつかの実施態様によれば、第１及び第２の膜１９及び２９、及び、第１及び第２のストリップ１０及び２０は、エラストマ、ゴム、ＴＰＲ、ＴＰＥ、ＴＰＵ、ＨＰＵ、ネオプレン、ポリアクリレート、ポリアミド、ポリエステル、ポリカーボネート、ポリイミド、ポリスチレン、アクリロニトリルブタジエンスチレン（ＡＢＳ）、ポリアクリロニトリル（ＰＡＮ）又はアクリル樹脂、ポリブタジエン、ポリ（ブチレンテレフタル酸塩）（ＰＢＴ）、ポリ（エーテルスルホン）（ＰＥＳ、ＰＥＳ／ＰＥＥＳ）、ポリ（エーテルエーテルケトン）（ＰＥＥＫ、ＰＥＳ／ＰＥＥＫ）、ポリエチレン（ＰＥ）、ポリ（エチレングリコール）（ＰＥＧ）、ポリ（エチレンテレフタル酸塩）（ＰＥＴ）、ポリプロピレン（ＰＰ）、ポリテトラフルオロエチレン（ＰＴＦＥ）、アクリロニトリル−スチレン樹脂（ＳＡＮ）、ポリ（トリメチレンテレフタル酸塩）（ＰＴＴ）、ポリウレタン（ＰＵ）、ポリビニルブチラール（ＰＶＢ）、ポリ塩化ビニル（ＰＶＣ）、ポリフッ化ビニリデン（ＰＶＤＦ）、ポリ（ビニルピロリドン）（ＰＶＰ）、又は、これらの組合せで構成される群から選択された高分子材料でできている。また従来技術において周知のいかなる便利な材料も、上述した膜のために使われてもよいことはいうまでもない。
【００４８】
本発明の好ましい実施態様によれば、第１及び第２の膜１９はＰＶＣでできている。
【００４９】
いくつかの実施態様によれば、磁石要素１８及び２８は、ネオジム、ネオジム−鉄−ホウ素（ＮｄＦｅＢ）、サマリウム−コバルト、電磁石、他のタイプの希土類磁石、及び、これらの組合せで構成される群から選択された材料でできている。
【００５０】
本発明のいくつかの実施態様において、第１又は第２のストリップは少なくとも強磁性材料でできているいくつかの要素を備えてもよいことはまた言うまでもない。
【００５１】
いくつかの実施態様によれば、前記封止用閉止は可撓性を有し、水を通さない。
【００５２】
他の実施態様によれば、前記封止用閉止は、他の公知の材料（例えば空気、ガス、塵、化学製品、生物製剤等）を通さない。
【００５３】
図１ａの実施態様によれば、複数の空洞１６及び２６は、最大ではない孔であり最大開口であるが、部分的な空洞である。他の実施態様によれば、複数の空洞１６及び２６は、すき間、凹部、くぼみ、開口、孔、最大開口、アパーチャー、又はこれらの組合せであってもよい。
【００５４】
複数の空洞が最大開口（例えば孔）である他の実施態様によれば、第１及び第２のストリップは、第１及び第２のストリップの少なくとも一つの第２側部に機械的に接続可能である被覆で被覆される。
【００５５】
本発明の異なる実施態様によれば、封止用閉止は、包装、貯蔵、軍隊、医療、農業、食品、アウトドア活動、織物、ファッション又はこれらの組合せで構成される群から選択された分野において使用可能である。
【００５６】
密封可能装置１２０に組み込まれている本発明の二つの磁石ストリップを略図で例示する図３−４をここで参照する。図３−４の実施態様によれば、可撓性ストリップのそれぞれに接続可能である膜は、密封可能装置の一部である。他の実施態様によれば、可撓性ストリップのそれぞれに接続可能である膜は、密封可能装置の一部ではない。これらの実施態様によれば、膜は密封可能装置の壁への従来の手段を経て接続可能である。
【００５７】
膜が密封可能な装置の一部である実施態様によれば、本発明の密封可能な装置１２０は、以下の要素ａ．複数の磁石要素を組み込むように適合する複数の空洞を持ち、主軸、第１側部１１１及び第２側部１１２を有する第１の可撓性ストリップ１１０と；ｂ．複数の磁石要素を組み込むように適合する複数の空洞を持ち、主軸、第１側部１１６及び第２側部１１７を有する第２の可撓性ストリップ１１５と；ｃ．第１のストリップ１１０の複数の磁石要素が第１のストリップ１１０と第１の壁１２５との間の複数の空洞内で埋め込まれるように第１のストリップ１１０の第１側部１１１に接続可能な第１の壁１２５と；ｄ．第２のストリップ１１５の複数の磁石要素が第２のストリップ１１５と第２の壁１２７との間の複数の空洞内で埋め込まれるように第２のストリップ１１５の第１側部１１６に接続可能な第２の壁１２７と；を含んでもよい。
【００５８】
矢印１１９によって示されるように、第１及び第２のストリップ１１０及び１１５は、磁石要素の第１及び第２のストリップ１１０及び１１５が磁気的に互いに引き付けて封止が提供されるように、第１及び第２の壁１２５及び１２７の側部から共に導かれるために適合する。
【００５９】
図３−４の実施態様によれば、第１及び第２の壁１２５及び１２７の各々は（ｉ）第１及び第２のストリップ１１０及び１１５の複数の磁石要素の磁力能力を本質的に保つ所定の厚さ、及び、（ｉｉ）第２の壁１２７に関する第１の壁１２５の動きを本質的に防ぐ所定の静止摩擦係数によって特徴付けられてもよい。提供される時、封止は、第１及び第２の壁１２５及び１２７の所定の厚さ及び所定の静止摩擦係数により第１及び第２のストリップ１１０及び１１５の主軸と関連した封止装置１２０の機械的な変形に対して堅固であってもよい。
【００６０】
本発明の他の実施態様が示される図５をここで、参照する。この実施態様によれば、追加の第３の磁石要素（例えば磁石ストリップ２４０）が、本発明の密封可能な装置に加えられてもよい。
【００６１】
図５によれば、第３の磁石要素は、複数の磁石要素を組み込むように適合する複数の空洞を持ち、主軸、第１側部２４１及び第２側部２４０を有する第３の可撓性ストリップ２４０である。第３のストリップ２４０は、第３のストリップ２４０の複数の磁石要素が第３のストリップ２４０と第２の壁２５０の一つとの間の複数の空洞内で埋め込まれるように第２の壁２５０（又は第１の壁２４８に）の一つに接続可能である。
【００６２】
図５にて図示したように、第１及び第２のストリップ２１０及び２１２により提供される封止は、第３のストリップ２４０の方向へ曲げられるように適合する。第１及び第２のストリップ２１０及び２１２の封止は、封止を改良するため、第３のストリップ２４０の第２側部２４２を磁気的に引き付けるように適合する。封止の改良は、以下の効果の少なくとも二つにより提供されてもよい：（ｉ）密封可能装置の折り畳みが、密封可能装置の閉止の改良を提供する；（ｉｉ）第３のストリップ２４０の磁石要素の磁力が、第１及び第２のストリップ２１０及び２１２の磁石要素間の磁力を改良する。
【００６３】
本発明の他の実施態様によれば、密封可能装置は、その中に組み込まれる磁石要素を有する四つ以上の磁石ストリップを含んでもよい。
【００６４】
図６ａ〜ｂは、磁石ストリップの二つの対が示される実施態様を略図で例示する。これらの図によれば、第１及び第２のストリップ３１０及び３１２と密封可能装置３００との二つは、ａ．複数の磁石要素を組み込むように適合する複数の空洞を持ち、主軸、第１側部及び第２側部を有する第３の可撓性ストリップ３１７であって、第３のストリップ３１７の複数の磁石要素が第３のストリップ３１７と第１の壁３２２との間で複数の空洞内で埋め込まれるように第１の壁３２２に接続可能である第３のストリップと；ｂ．複数の磁石要素を組み込むように適合する複数の空洞を持ち、主軸、第１側部及び第２側部を有する第４の可撓性ストリップ３１８であって、第４のストリップ３１８の複数の磁石要素が第４のストリップ３１８と第２の壁３２３との間で複数の空洞内で埋め込まれるように第２の壁３２３に接続可能である第４のストリップ３１８と；をさらに含む。
【００６５】
図６ａ〜ｂにて図示したように、第３及び第４のストリップ３１７及び３１８は、第３及び第４のストリップの磁石要素が磁気的に互いに引き付けて封止を提供するために第１及び第２の壁３２２及び３２３の側部から共に導かれるように適合する。
【００６６】
図６ａ〜ｂによると、第３のストリップ３１７は第１のストリップ３１０に対して平行であり、第２のストリップ３１８は第４のストリップ３１２に対して平行である。
【００６７】
矢印３２７及び３２８によって示されるように、第１及び第２のストリップ３１０及び３１２の封止は、第３のストリップ３１７の第２側部又は第４のストリップ３１８の第２側部の一つの方向の方へ曲げられるように適合される。第１及び第２のストリップ３１０及び３１２の封止は、封止を改良するため、第３のストリップ３１７の第２側部又は第４のストリップ３１８の第２側部の一つを磁気的に引き付けるように適合する。封止の改良は、以下の効果の少なくとも二つにより提供されてもよい：（ｉ）密封可能装置の折り畳みが、密封可能装置の閉止の改良を提供する；（ｉｉ）第３のストリップ３１７及び／又は第４のストリップ３１８の磁石要素の磁力が、第１及び第２のストリップ３１０及び３１２の磁石要素間の磁力を改良する；（ｉｉｉ）それぞれが封止用閉止を提供する磁石ストリップの二つの対の存在が密封可能装置３００に提供される全体的な封止の影響を改良する。
【００６８】
図３〜６の実施態様によれば、本発明の密封可能装置は小袋である。
【００６９】
いくつかの実施態様によれば、本発明の封止用閉止は実施態様では小袋である密封可能装置内で組み込まれてもよい。本発明の封止用閉止は、密封可能装置の内部の空洞に封止を提供するために適合する。封止が封止用閉止によって提供される時、密封可能装置は封止される。
【００７０】
例えば、本発明の第１のストリップは、第１の接続手段を経て密封可能装置の一部（例えば内部の壁）に機械的に接続されてもよく、及び、本発明の第２のストリップは、第２の接続手段を経て密封可能装置の他の部分（例えば他の内部の壁）に機械的に接続可能であってもよい。
【００７１】
本発明の異なる実施態様によれば、第１及び第２の接続手段は、高周波溶接、超音波溶接、熱溶接、縫い込み、シールテープ、接着又はこれらの組合せで構成される群から選択される。
【００７２】
封止の安定性を提供する本発明の能力は、様々な場合において非常に重要である。例えばポケットとして使われる封止用閉止が水着である場合、ユーザが水着を着用して封止用閉止が曲げられる時でも封止は保たれなければならない。
【００７３】
例えば、図４にて図示したように、第１及び第２のストリップ１１０及び１１５によって提供される封止用閉止は、密封可能装置１２０内で組み込まれる。この実施態様によれば、第１の膜及び／又は第２の膜は、密封可能装置１２０の壁１２５及び１２７である。
【００７４】
いくつかの実施態様によれば、図３及び図４において示される本発明の封止用閉止は一方向弁である。一方向弁として、封止は封止用閉止内で作用する圧力によって開かれ、それに続いて弁内に閉じ込められた材料（例えば空気）が出て、封止はまた閉じられる。例えば一つの弁が、密封可能装置内で閉じ込められた空気を放出し、一方で装置内に水が入るのを防ぐために用いられてもよい。
【００７５】
複数の磁石要素を組み込むように適合する複数の空洞を持ち、主軸、第１側部４１４及び第２側部４１５を有する第１の可撓性ストリップ４１２を含む単一の磁石ストリップ４１０を略図で例示する図７をここで参照する。磁石ストリップ４１０はさらに、複数の第１のストリップ４１２の磁石要素が第１のストリップ４１２と第１の膜４１６との間の複数の空洞内で埋め込まれるように第１のストリップ４１２の第１側部４１４に接続可能な第１の膜４１６を含む。
【００７６】
異なる実施態様によれば、磁石ストリップ４１０は、第１の膜４１６の側部から強磁性材料又は磁石材料を引き付けるように適合する。
【００７７】
異なる実施態様によれば、磁石ストリップ４１０は、曲面に磁気的に引き付けられ、一方でその長さに沿ってその接続を保つように適合する。
【００７８】
異なる実施態様によれば、第１の膜４１６が（ｉ）第１のストリップの複数の磁石要素の磁力能力を本質的に保つ所定の厚さ、及び、（ｉｉ）磁石要素が引き付けられる材料に関する第１の膜の動きを本質的に防ぐ所定の静止摩擦係数によって特徴付けられる。
【００７９】
本発明のストリップが製造されてもよい異なる実施態様を略図で例示する図８ａ−ｃをここで参照する。これらの実施態様によれば、本発明のストリップは、四角、楕円形又は周知の幾何学的構造のような従来技術において周知の幾何学的構造、形状又は次元（一次元、二次元又は三次元）によって特徴付けられてもよい。これらの図で分かるように、本発明の磁石ストリップを有する磁石要素の配置は、異なるパターン（異なる要求による）にしたがって提供されてもよい。
【００８０】
本発明の追加の利点は、封止の容易な開口である。言い換えると、封止を開くために必要とされる力の量は、比較的少ない。実験データによれば、二つの磁石を分離するために必要とされる力は、約０．５Ｋｇから１．１Ｋｇの間である。
【００８１】
封止用閉止の第１及び第２の膜の間の剪断力の実験から得られた、他の実験データによれば、結果は、以下の通りである：
【表１】
2013538435.tif 000001
【表２】
2013538435.tif 000002
【手続補正２】
【補正対象書類名】特許請求の範囲
【補正対象項目名】全文
【補正方法】変更
【補正の内容】
【特許請求の範囲】
【請求項１】
磁石の封止用閉止であって、ａ．複数の磁石要素を組み込むように適合する複数の空洞を持ち、主軸、第１側部及び第２側部を有する第１の可撓性ストリップおよび；ｂ．複数の磁石要素を組み込むように適合する複数の空洞を持ち、主軸、第１側部及び第２側部を有する第２の可撓性ストリップを含み、前記封止用閉止は、前記第１のストリップの前記複数の磁石要素が前記第１のストリップと第１の膜との間の前記複数の空洞内に埋め込まれるように前記第１のストリップの前記第１側部に接続可能な第１の膜をさらに含み、前記第２のストリップの前記複数の磁石要素が前記第２のストリップと第２の膜との間の前記複数の空洞内に埋め込まれるように前記第２のストリップの前記第１側部に接続可能な第２の膜をさらに含み、前記第１及び前記第２のストリップが前記第１及び第２の膜の側部から共に導かれる時、前記第１及び前記第２のストリップの磁石要素が封止を提供するように磁気的に互いを引き付ける、磁石の封止用閉止。
【請求項２】
前記第１及び前記第２の膜の各々が（ｉ）前記第１及び前記第２のストリップの前記複数の磁石要素の磁力能力を本質的に保つ所定の厚さおよび、（ｉｉ）前記第２の膜に関する前記第１の膜の動きを本質的に防ぐ所定の静止摩擦係数と、によって特徴付けられ、提供される時、前記封止は、前記第１及び前記第２の膜の前記所定の厚さ及び前記所定の静止摩擦係数により前記第１及び前記第２のストリップの前記主軸と関連した前記封止用閉止の機械的な変形に対して堅固である、請求項１の磁石の封止用閉止。
【請求項３】
前記第１の膜及び前記第２の膜が密封可能装置の第１の壁及び第２の壁である、請求項１の磁石の封止用閉止。
【請求項４】
前記第１及び前記第２の膜及び前記第１及び前記第２のストリップが、エラストマ、ゴム、ＴＰＲ、ＴＰＥ、ＴＰＵ、ＨＰＵ、ネオプレン、ポリアクリレート、ポリアミド、ポリエステル、ポリカーボネート、ポリイミド、ポリスチレン、アクリロニトリルブタジエンスチレン（ＡＢＳ）、ポリアクリロニトリル（ＰＡＮ）又はアクリル樹脂、ポリブタジエン、ポリ（ブチレンテレフタル酸塩）（ＰＢＴ）、ポリ（エーテルスルホン）（ＰＥＳ、ＰＥＳ／ＰＥＥＳ）、ポリ（エーテルエーテルケトン）（ＰＥＥＫ、ＰＥＳ／ＰＥＥＫ）、ポリエチレン（ＰＥ）、ポリ（エチレングリコール）（ＰＥＧ）、ポリ（エチレンテレフタル酸塩）（ＰＥＴ）、ポリプロピレン（ＰＰ）、ポリテトラフルオロエチレン（ＰＴＦＥ）、アクリロニトリル−スチレン樹脂（ＳＡＮ）、ポリ（トリメチレンテレフタル酸塩）（ＰＴＴ）、ポリウレタン（ＰＵ）、ポリビニルブチラール（ＰＶＢ）、ポリ塩化ビニル（ＰＶＣ）、ポリフッ化ビニリデン（ＰＶＤＦ）、ポリ（ビニルピロリドン）（ＰＶＰ）、又は、これらの組合せで構成される群から選択された高分子材料でできている、請求項１の磁石の封止用閉止。
【請求項５】
前記磁石要素が、ネオジム、ネオジム−鉄−ホウ素（ＮｄＦｅＢ）、サマリウム−コバルト、電磁石、他のタイプの希土類磁石、及び、これらの組合せで構成される群から選択された材料でできている、請求項１の磁石の封止用閉止。
【請求項６】
以下の少なくとも一つ：（ａ）前記第１のストリップは第１の接続手段を経て前記密封可能装置の一部に機械的に接続可能であり、前記第２のストリップは第２の接続手段を経て前記密封可能装置の他の部分に機械的に接続可能である；及び（ｂ）前記ストリップの前記一部及び前記他の部分が前記密封可能装置の開口に位置することが当てはまる、請求項４の磁石の封止用閉止。
【請求項７】
前記第１の膜又は前記第２の膜の少なくとも一つが、前記一部又は前記他の部分の一つである、請求項５の磁石の封止用閉止。
【請求項８】
前記封止用閉止が一方向弁である、請求項１の磁石の封止用閉止。
【請求項９】
前記第１及び前記第２の連続的なストリップ、及び、前記第１及び前記第２のストリップ内に複数の空洞を有する、請求項１の磁石の封止用閉止。
【請求項１０】
前記封止用閉止が、前記複数の空洞が最大開口である時、前記第１のストリップ及び前記第２のストリップの少なくとも一つにその前記第２側部から機械的に接続されるように適合する被覆をさらに含む、請求項１の磁石の封止用閉止。